(57)【特許請求の範囲】
【請求項１】
スモールセルデバイスによって実行されるビーコン検出の方法において、
前記スモールセルデバイスが高電力モードの間に、ビーコンパラメータをユーザ機器（ＵＥ）と交換し、前記ビーコンパラメータは、前記スモールセルデバイスに関係するランダムアクセスチャネル（ＲＡＣＨ）プリアンブルに対する電力制御情報を含むことと、
前記ビーコンパラメータを前記ＵＥと交換した後に、前記スモールセルデバイスのトランシーバの送信部分と受信部分の両方を非アクティブ化に保つことと、前記スモールセルデバイスのリスニングコンポーネントをアクティブ化に保つこととによって、前記スモールセルデバイスに対して低電力モードに入ることと、
前記スモールセルデバイスが前記低電力モードの間に、前記ビーコンパラメータを含む前記ＲＡＣＨプリアンブル中のビーコンを、前記ＵＥから受信することと、
前記ビーコンを受信することに応答して、前記スモールセルデバイスに対して高電力モードに入ることと、
前記スモールセルデバイスが前記高電力モードの間に、前記ＵＥと関係付くこととを含む方法。
【請求項２】
前記スモールセルデバイスが前記高電力モードの間に、前記ビーコンパラメータが前記ユーザ機器と交換され、および／または、
前記低電力モードにおいて、前記ビーコンを受信する前記スモールセルデバイスの前記リスニングコンポーネントがアクティブ化され、データパケットを受信する前記スモールセルデバイスの前記トランシーバが非アクティブ化され、
前記高電力モードにおいて、前記スモールセルデバイスの前記リスニングコンポーネントがアクティブ化され、前記スモールセルデバイスの前記トランシーバがアクティブ化される請求項１記載の方法。
【請求項３】
前記ＵＥが前記スモールセルデバイスのカバレッジ中にないとき、前記スモールセルデバイスは、前記低電力モードに入り、および／または、
前記スモールセルデバイスは、フェムトセルユニットであり、および／または、
前記関係付くことは、後続するＲＡＣＨ手順を実行して、セル再選択を完了することを含む請求項１記載の方法。
【請求項４】
ユーザ機器によって実行されるビーコン送信の方法において、
ビーコンパラメータをスモールセルデバイスと交換し、前記ビーコンパラメータは、前記スモールセルデバイスに関係するランダムアクセスチャネル（ＲＡＣＨ）プリアンブルに対する電力制御情報を含み、前記スモールセルデバイスが高電力モードの間に、ビーコンパラメータが前記スモールセルデバイスと交換されることと、
前記スモールセルデバイスの存在を検出し、前記スモールセルデバイスのトランシーバの送信部分と受信部分の両方が非アクティブ化されたままであり、前記スモールセルデバイスのリスニングコンポーネントがアクティブ化されたままである、低電力モードに、前記スモールセルデバイスが入っている間に、前記スモールセルデバイスの存在が検出されることと、
前記検出することに応答して、前記ビーコンパラメータを含む前記ＲＡＣＨプリアンブル中のビーコンを、前記スモールセルデバイスに送信することと、
前記スモールセルデバイスが前記高電力モードに入っている間に、前記スモールセルデバイスと関係付くこととを含む方法。
【請求項５】
前記関係付くことは、後続するＲＡＣＨ手順を実行して、セル再選択を完了することを含み、および／または、
前記スモールセルデバイスの存在は、隣接マップと、帯域外シグナリングと、位置推定とのうちの少なくとも１つを通して検出される請求項４記載の方法。
【請求項６】
前記ビーコンパラメータを隣接セルデバイスに送信することと、
前記低電力モードの間に、前記隣接セルデバイスが前記ビーコンパラメータを含むランダムアクセスチャネル（ＲＡＣＨ）プリアンブル中のビーコンを前記ＵＥから受信することに応答して、通知を前記隣接セルデバイスから受信することとをさらに含み、
前記隣接セルデバイスは、スモールセルデバイスを含み、または、
前記隣接セルデバイスは、マクロセルデバイスを含み、および／または、
前記通知は、前記スモールセルデバイスへのバックホールを通して受信され、および／または、
前記スモールセルデバイスが前記高電力モードの間に、前記ビーコンパラメータが前記ＵＥと交換される請求項１記載の方法。
【請求項７】
前記低電力モードにおいて、前記通知を受信する前記スモールセルデバイスの前記リスニングコンポーネントがアクティブ化され、データパケットを受信する前記スモールセルデバイスの前記トランシーバが非アクティブ化され、
前記高電力モードにおいて、前記スモールセルデバイスの前記リスニングコンポーネントがアクティブ化され、前記スモールセルデバイスの前記トランシーバがアクティブ化される請求項６記載の方法。
【請求項８】
前記スモールセルデバイスに関係付けられている隣接セルデバイスの存在を検出することと、
前記検出することに応答して、前記ビーコンパラメータを含むランダムアクセスチャネル（ＲＡＣＨ）プリアンブル中のビーコンを、前記隣接セルデバイスに送信することとをさらに含み、
前記隣接セルデバイスの存在は、隣接マップと、帯域外シグナリングと、位置推定とのうちの少なくとも１つを通して検出される請求項７記載の方法。
【請求項９】
前記ビーコンパラメータを第１の隣接セルデバイスに送信することと、
前記ビーコンパラメータを前記ＵＥと交換した後に、前記スモールセルデバイスのトランシーバの送信部分と受信部分の両方を非アクティブ化に保つことと、前記スモールセルデバイスのリスニングコンポーネントをアクティブ化に保つこととによって、低電力モードに入ることと、
前記低電力モードの間に、（ｉ）前記スモールセルデバイスの識別子を含むランダムアクセスチャネル（ＲＡＣＨ）メッセージ中のビーコンと、（ｉｉ）前記第１の隣接セルデバイスが前記スモールセルデバイスの識別子を含む前記ＵＥからのＲＡＣＨメッセージ中のビーコンを検出することに応答した、前記第１の隣接セルデバイスからの通知とのうちの少なくとも１つを受信することと、
前記ビーコンと前記通知とのうちの少なくとも１つを受信することに応答して、高電力モードに入ることと、
前記高電力モードの間に、前記ＵＥと関係付くこととをさらに含み、
前記識別子は、ＳＲＮＣ−ＩＤを含み、および／または、
前記通知は、前記ＵＥが前記ＲＡＣＨメッセージを送信した前記第１の隣接セルデバイスから受信され、または、
前記通知は、前記ＵＥが前記ＲＡＣＨメッセージを送信した第２の隣接セルデバイスとは異なる前記第１の隣接セルデバイスから受信される請求項７記載の方法。
【請求項１０】
隣接セルデバイスの存在を検出することと、
前記隣接セルデバイスを検出することに応答して、前記ビーコンパラメータを含むランダムアクセスチャネル（ＲＡＣＨ）メッセージ中のビーコンを送信することとをさらに含み、
前記スモールセルデバイスが、前記スモールセルデバイスのトランシーバの送信部分と受信部分の両方が非アクティブ化されたままであり、前記スモールセルデバイスのリスニングコンポーネントがアクティブ化されたままである、低電力モードの間に、前記隣接セルデバイスの存在が検出され、
前記ＲＡＣＨメッセージが、前記検出された隣接セルデバイスに送信され、および／または、
前記スモールデバイスの識別子が、担当無線ネットワーク制御識別子（ＳＲＮＣ−ＩＤ）を含む請求項７記載の方法。
【請求項１１】
第２の隣接セルデバイスが前記ＵＥからの前記ＲＡＣＨメッセージを拒絶するとき、前記スモールセルデバイスは、前記ＲＡＣＨメッセージ中の前記ビーコンを受信する請求項９記載の方法。
【請求項１２】
前記第２の隣接セルデバイスが前記ＵＥからの前記ＲＡＣＨメッセージを拒絶するとき、前記第１の隣接セルデバイスは、前記スモールセルデバイスの前記識別子を含む前記ＵＥからの前記ＲＡＣＨメッセージ中の前記ビーコンを検出する請求項９記載の方法。
【請求項１３】
前記スモールセルデバイスの前記リスニングコンポーネントは、隣接セルデバイス発見と、干渉管理と、モビリティ管理とのうちの少なくとも１つに対するものであり、および／または、
前記ビーコンパラメータは、アクセススロットと、プリアンブルスクランブルコードと、プリアンブル署名と、データ部分に対する拡散係数と、各アクセスサービスクラスに対して利用可能な署名およびサブチャネルと、電力制御情報とのうちの少なくとも１つを含んでいる請求項１記載の方法。
【請求項１４】
ビーコン検出のための装置において、
前記装置が高電力モードの間に、ビーコンパラメータをユーザ機器（ＵＥ）と交換し、前記ビーコンパラメータは、前記装置に関係するランダムアクセスチャネル（ＲＡＣＨ）プリアンブルに対する電力制御情報を含む手段と、
前記ビーコンパラメータを前記ＵＥと交換した後に、前記装置のトランシーバの送信部分と受信部分の両方を非アクティブ化に保つことと、前記装置のリスニングコンポーネントをアクティブ化に保つこととによって、前記装置に対して低電力モードに入る手段と、
前記装置が前記低電力モードの間に、前記ビーコンパラメータを含む前記ＲＡＣＨプリアンブル中のビーコンを、前記ＵＥから受信する手段と、
前記ビーコンを受信することに応答して、前記装置に対して高電力モードに入る手段と、
前記装置が前記高電力モードの間に、前記ＵＥと関係付く手段とを具備する装置。
【請求項１５】
コンピュータ上で実行されるとき、前記コンピュータに、請求項１から１３のうちのいずれかの方法ステップを実行させるコードを含むコンピュータ読取可能記憶媒体。
【発明の詳細な説明】
【分野】
【０００１】
［０００１］
本開示は、一般的にワイヤレスシステムおよび方法に関連し、特に、ビーコン検出のためのシステムおよび方法に関連する。
【背景】
【０００２】
［０００２］
ワイヤレス通信システムは、例えば、音声、データ等のような、さまざまなタイプの通信コンテンツを提供するように広く配備されている。典型的なワイヤレス通信システムは、利用可能なシステムリソース（例えば、帯域幅、送信電力等）を共有することにより、複数のユーザとの通信をサポートすることが可能な多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類するものを含んでいてもよい。加えて、システムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ＥＶ−ＤＯ）等のような仕様に準拠することができる。
【０００３】
［０００３］
一般的に、ワイヤレス多元接続通信システムは、複数の移動体デバイスに対する通信を同時にサポートしてもよい。各移動体デバイスは、フォワードリンク上およびリバースリンク上の送信を通して、１つ以上のアクセスポイントと通信してもよい。フォワードリンク（またはダウンリンク）は、アクセスポイントから移動体デバイスへの通信リンクを指し、リバースリンク（またはアップリンク）は、移動体デバイスからアクセスポイントへの通信リンクを指す。さらに、単一入力単一出力（ＳＩＳＯ）システムや、複数入力単一出力（ＭＩＳＯ）システムや、複数入力複数出力（ＭＩＭＯ）システム等を通して、移動体デバイスとアクセスポイントとの間の通信を確立してもよい。加えて、移動体デバイスは、ピア・ツー・ピアワイヤレスネットワークコンフィギュレーションにおいて、他の移動体デバイスと（および／または、アクセスポイントは、他のアクセスポイントと）通信することができる。
【０００４】
［０００４］
従来のアクセスポイントを補助するために、追加の、制限されたアクセスポイントを配備して、よりロバストなワイヤレスカバレッジを移動体デバイスに提供できる。例えば、ワイヤレス中継局および低電力アクセスポイント（例えば、一般的に、ホームノードＢまたはホームｅＮＢと呼ばれ、まとめて、Ｈ（ｅ）ＮＢと呼ばれ、フェムトアクセスポイント、フェムトセル、ピコセル、マクロセル等と呼ばれることがある）を、インクリメント的な容量増加や、より豊かなユーザ経験や、建物中または他の特定の地理的なカバレッジや、および／または、これらに類するもののために配備することができる。いくつかのコンフィギュレーションでは、このような低電力アクセスポイントは、移動体運営者ネットワークへのバックホールリンクを提供できるブロードバンド接続（例えば、デジタル加入者線（ＤＳＬ）ルータ、ケーブル、または、他のモデム等）を通して、インターネットに接続できる。したがって、ブロードバンド接続を通して、１つ以上のデバイスに移動体ネットワークアクセスを提供するために、例えば、低電力アクセスポイントをユーザの家または企業環境の中に配備できる。
【０００５】
［０００５］
このようなヘテロジニアスネットワークにおいて、移動体デバイスとスモールセルのような近くのアクセスポイントとが互いを検出することは、課題であることが多い。スモールセルデバイスのカバレッジエリア中に移動体デバイスがないとき、スモールセルを長期間の間電力セーブモードのまま保つ誘因があるという点で、１つの課題がある。（例えば、移動体デバイスがカバレッジエリアに戻るとき）検出、したがってデバイス間の通信は、スモールセルが電力セーブモード中の間、制限される。１つの以前の解決法は、電力セ―ブモード中に、移動体デバイスがスモールセルの存在を検出できるように、スモールセルが低電力ビーコンを送信することである。
【概要】
【０００６】
［０００６］
スモールセルデバイスによって実行されるビーコン検出の方法は、（ｉ）ビーコンパラメータをユーザ機器（ＵＥ）と交換することと、（ｉｉ）ビーコンパラメータをＵＥと交換した後に、低電力モードに入ることと、（ｉｉｉ）低電力モードの間に、ビーコンパラメータを含むランダムアクセスチャネル（ＲＡＣＨ）プリアンブル中のビーコンを、ＵＥから受信することと、（ｉｖ）ビーコンを受信することに応答して、高電力モードに入ることと、（ｖ）高電力モードの間に、ＵＥと関係付くことと、のうちのいずれか１つまたは組み合わせを含むが、これらに限定されない。
【０００７】
［０００７］
さまざまな実施形態において、高電力モードの間に、ビーコンパラメータがユーザ機器と交換される。
【０００８】
［０００８］
さまざまな実施形態において、低電力モードでは、ビーコンを受信するスモールセルデバイスのリスニングコンポーネントがアクティブ化され、データパケットを受信するスモールセルデバイスのトランシーバが非アクティブ化される。高電力モードでは、スモールセルデバイスのリスニングコンポーネントがアクティブ化され、スモールセルデバイスのトランシーバがアクティブ化される。
【０００９】
［０００９］
さまざまな実施形態において、ＵＥがスモールセルデバイスのカバレッジ中にないとき、スモールセルデバイスは、低電力モードに入る。
【００１０】
［００１０］
さまざまな実施形態において、スモールセルデバイスはフェムトセルユニットである。
【００１１】
［００１１］
さまざまな実施形態において、関係付くことは、後続するＲＡＣＨ手順を実行して、セル再選択を完了することを含む。
【００１２】
［００１２］
ユーザ機器によって実行されるビーコン送信の方法は、（ｉ）ビーコンパラメータをスモールセルデバイスと交換することと、（ｉｉ）スモールセルデバイスの存在を検出することと、（ｉｉｉ）検出することに応答して、ビーコンパラメータを含むランダムアクセスチャネル（ＲＡＣＨ）プリアンブル中のビーコンを、スモールセルデバイスに送信することと、（ｉｖ）スモールセルデバイスと関係付くことと、のうちのいずれか１つまたは組み合わせを含むが、これらに限定されない。
【００１３】
［００１３］
さまざまな実施形態において、スモールセルデバイスが低電力モードの間に、スモールセルデバイスの存在が検出される。スモールセルデバイスが高電力モードの間に、パラメータがユーザ機器と交換される。スモールセルデバイスが高電力モードの間に、ユーザ機器がスモールセルデバイスと関係付けられる。
【００１４】
［００１４］
さまざまな実施形態において、関係付くことは、後続するＲＡＣＨ手順を実行して、セル再選択を完了することを含む。
【００１５】
［００１５］
さまざまな実施形態において、スモールセルデバイスの存在は、近隣マップと、帯域外シグナリングと、位置推定とのうちの少なくとも１つを通して検出される。
【００１６】
［００１６］
スモールセルデバイスによって実行されるビーコン検出の方法は、（ｉ）ビーコンパラメータをユーザ機器（ＵＥ）と交換することと、（ｉｉ）ビーコンパラメータを隣接セルデバイスに送信することと、（ｉｉｉ）ビーコンパラメータをＵＥと交換した後に、低電力モードに入ることと、（ｉｖ）低電力モードの間に、隣接セルデバイスがビーコンパラメータを含むランダムアクセスチャネル（ＲＡＣＨ）プリアンブル中のビーコンをＵＥから受信すること応答して、通知を隣接セルデバイスから受信することと、（ｖ）通知を受信することに応答して、高電力モードに入ることと、（ｖｉ）高電力モードの間に、ＵＥと関係付くことと、のうちのいずれか１つまたは組み合わせを含むが、これらに限定されない。
【００１７】
［００１７］
さまざまな実施形態において、隣接セルデバイスは、スモールセルデバイスを含む。
【００１８】
［００１８］
さまざまな実施形態において、隣接セルデバイスは、マクロセルデバイスを含む。
【００１９】
［００１９］
さまざまな実施形態において、通知は、スモールセルデバイスへのバックホールを通して受信される。
【００２０】
［００２０］
さまざまな実施形態において、高電力モードの間に、ビーコンパラメータがＵＥと交換される。
【００２１】
［００２１］
さまざまな実施形態において、低電力モードでは、通知を受信するスモールセルデバイスのリスニングコンポーネントがアクティブ化され、データパケットを受信するスモールセルデバイスのトランシーバが非アクティブ化される。高電力モードでは、スモールセルデバイスのリスニングコンポーネントがアクティブ化され、スモールセルデバイスのトランシーバがアクティブ化される。
【００２２】
［００２２］
さまざまな実施形態において、ＵＥがスモールセルデバイスのカバレッジ中にないとき、スモールセルデバイスは、低電力モードに入る。
【００２３】
［００２３］
さまざまな実施形態において、スモールセルデバイスは、フェムトセルユニットである。
【００２４】
［００２４］
さまざまな実施形態において、関係付くことは、後続するＲＡＣＨ手順を実行して、セルの再選択を完了することを含む。
【００２５】
［００２５］
ユーザ機器によって実行されるビーコン送信の方法は、（ｉ）ビーコンパラメータをスモールセルデバイスと交換することと、（ｉｉ）スモールセルデバイスに関係付けられている隣接セルデバイスの存在を検出することと、（ｉｉｉ）検出することに応答して、ビーコンパラメータを含むランダムアクセスチャネル（ＲＡＣＨ）プリアンブル中のビーコンを、隣接セルデバイスに送信することと、（ｉｖ）スモールセルデバイスと関係付くことと、のうちのいずれか１つまたは組み合わせを含むが、これらに限定されない。
【００２６】
［００２６］
さまざまな実施形態において、スモールセルデバイスが低電力モードの間に、隣接セルデバイスの存在が検出される。スモールセルデバイスが高電力モードの間に、パラメータがユーザ機器と交換される。スモールセルデバイスが高電力モードの間に、ユーザ機器がスモールセルデバイスと関係付けられる。
【００２７】
［００２７］
さまざまな実施形態において、関係付くことは、後続するＲＡＣＨ手順を実行して、セルの再選択を完了することを含む。
【００２８】
［００２８］
さまざまな実施形態において、スモールセルデバイスの存在は、隣接マップと、帯域外シグナリングと、位置推定とのうちの少なくとも１つを通して検出される。
【００２９】
［００２９］
スモールセルデバイスによって実行されるビーコン検出の方法は、ビーコンパラメータをユーザ機器（ＵＥ）と交換することと、ビーコンパラメータを第１の隣接セルデバイスに送信することと、ビーコンパラメータをＵＥと交換した後に、低電力モードに入ることと、低電力モードの間に、（ｉ）スモールセルの識別子を含むランダムアクセスチャネル（ＲＡＣＨ）メッセージ中のビーコンと、（ｉｉ）隣接セルデバイスがスモールセルデバイスの識別子を含むＵＥからのＲＡＣＨメッセージ中のビーコンを検出することに応答した、第１の隣接セルデバイスからの通知と、のうちの少なくとも１つを受信することと、第２の通知を受信することに応答して、高電力モードに入ることと、高電力モードの間に、ＵＥと関係付くことと、のうちのいずれか１つまたは組み合わせによって実行されるが、これらに限定されない。
【００３０】
［００３０］
さまざまな実施形態において、ＲＡＣＨメッセージは、スモールセルデバイスに対する識別子を含む。
【００３１】
［００３１］
いくつかの実施形態において、識別子はＳＲＮＣ−ＩＤを含む。
【００３２】
［００３２］
さまざまな実施形態において、通知は、ＵＥがＲＡＣＨメッセージを送信した隣接セルデバイスから受信される。
【００３３】
［００３３］
さまざまな実施形態において、通知は、ＵＥがＲＡＣＨメッセージを送信した異なる隣接セルデバイスから受信される。
【００３４】
［００３４］
さまざまな実施形態において、隣接セルデバイスのうちの少なくとも１つは、スモールセルデバイスを含む。
【００３５】
［００３５］
さまざまな実施形態において、隣接セルデバイスのうちの少なくとも１つは、マクロセルデバイスを含む。
【００３６】
［００３６］
さまざまな実施形態において、通知は、スモールセルデバイスへのバックホールを通して受信される。
【００３７】
［００３７］
さまざまな実施形態において、高電力モードは、低電力モードよりもより多くの電力を使用する。
【００３８】
［００３８］
さまざまな実施形態において、高電力モードの間に、ビーコンパラメータがＵＥと交換される。
【００３９】
［００３９］
ユーザ機器によるビーコン検出送信の方法は、（ｉ）ビーコンパラメータをスモールセルデバイスと交換することと、（ｉｉ）隣接セルデバイスの存在を検出することと、（ｉｉｉ）隣接セルデバイスを検出することに応答して、ビーコンパラメータを含むランダムアクセスチャネル（ＲＡＣＨ）メッセージ中のビーコンを送信することと、（ｉｖ）スモールセルデバイスと関係付くことと、のうちのいずれか１つまたは組み合わせを含むが、これらに限定されない。
【００４０】
［００４０］
さまざまな実施形態において、ＲＡＣＨメッセージが、検出された隣接セルデバイスに送信される。
【００４１】
［００４１］
さまざまな実施形態において、ＲＡＣＨメッセージが、スモールセルデバイスに対する識別子を含む。
【００４２】
［００４２］
さまざまな実施形態において、識別子が、担当無線ネットワーク制御識別子（ＳＲＮＣ−ＩＤ）を含む。
【００４３】
［００４３］
さまざまな実施形態において、スモールセルデバイスが低電力モードの間に、存在が検出される。スモールセルデバイスが高電力モードの間に、パラメータがユーザ機器と交換される。スモールセルデバイスが高電力モードの間に、ユーザ機器がスモールデバイスと関係付けられる。
【００４４】
［００４４］
いくつかの実施形態において、高電力モードは、低電力モードよりもより多くの電力を使用する。
【００４５】
［００４５］
さまざまな実施形態において、関係付くことは、後続するＲＡＣＨ手順を実行して、セルの再選択を完了することを含む。
【００４６】
［００４６］
さまざまな実施形態において、スモールセルデバイスの存在は、隣接マップと、帯域外シグナリングと、位置推定とのうちの少なくとも１つを通して検出される。
【００４７】
［００４７］
ビーコン検出のための装置は、ビーコンパラメータをユーザ機器（ＵＥ）と交換する手段と、ビーコンパラメータをＵＥと交換した後に、低電力モードに入る手段と、低電力モードの間に、ビーコンパラメータを含むランダムアクセスチャネル（ＲＡＣＨ）プリアンブル中のビーコンを、ＵＥから受信する手段と、ビーコンを受信することに応答して、高電力モードに入る手段と、高電力モードの間に、ＵＥと関係付く手段と、のうちのいずれかの１つまたは組み合わせを含むが、これらに限定されない。
【００４８】
［００４８］
ビーコン検出のための装置は、ビーコンパラメータをユーザ機器（ＵＥ）と交換するようにと、ビーコンパラメータをＵＥと交換した後に、低電力モードに入るようにと、低電力モードの間に、ビーコンパラメータを含むランダムアクセスチャネル（ＲＡＣＨ）プリアンブル中のビーコンを、ＵＥから受信するようにと、ビーコンを受信することに応答して、高電力モードに入るようにと、高電力モードの間に、ＵＥと関係付くように構成されているプロセッサを含むがこれらに限定されない。
【００４９】
［００４９］
コンピュータ読取可能記憶媒体を含む、ビーコン検出のためのコンピュータプログラムプロダクトにおいて、コンピュータ読取可能記憶媒体は、ビーコンパラメータをユーザ機器（ＵＥ）と交換するためのコードと、ビーコンパラメータをＵＥと交換した後に、低電力モードに入るためのコードと、低電力モードの間に、ビーコンパラメータを含むランダムアクセスチャネル（ＲＡＣＨ）プリアンブル中のビーコンを、ＵＥから受信するためのコードと、ビーコンを受信することに応答して、高電力モードに入るためのコードと、高電力モードの間に、ＵＥと関係付くためのコードとを含むがこれらに限定されない。
【図面の簡単な説明】
【００５０】
［００５０］
【図１】図１は、本開示のさまざまな実施形態にしたがった処理システムを用いる装置に対する例示的なハードウェアコンフィギュレーションのブロックダイヤグラムである。
【００５１】
［００５１］
【図２】図２は、本開示のさまざまな実施形態にしたがったワイヤレス通信を図示している。
【００５２】
［００５２］
【図３Ａ】図３Ａは、本開示のさまざまな実施形態にしたがったネットワーク環境内のホームノードＢ（ＨＮＢ）の配備を可能にする通信システムを図示している。
【００５３】
［００５３］
【図３Ｂ】図３Ｂは、本開示のさまざまな実施形態にしたがったネットワーク環境を図示している。
【図３Ｃ】図３Ｃは、本開示のさまざまな実施形態にしたがったネットワーク環境を図示している。
【００５４】
［００５４］
【図４Ａ】図４Ａは、本開示のさまざまな実施形態にしたがったスモールセルユニットとユーザ機器とを図示するブロックダイヤグラムである。
【図４Ｂ】図４Ｂは、本開示のさまざまな実施形態にしたがったスモールセルユニットとユーザ機器とを図示するブロックダイヤグラムである。
【００５５】
［００５５］
【図５Ａ】図５Ａは、本開示のさまざまな実施形態にしたがった方法を図示している。
【図５Ｂ】図５Ｂは、本開示のさまざまな実施形態にしたがった方法を図示している。
【００５６】
［００５６］
【図６Ａ】図６Ａは、本開示のさまざまな実施形態にしたがった方法を図示している。
【図６Ｂ】図６Ｂは、本開示のさまざまな実施形態にしたがった方法を図示している。
【００５７】
［００５７］
【図７】図７は、本開示のさまざまな実施形態にしたがった方法を図示している。
【詳細な説明】
【００５８】
［００５８］
さまざまな実施形態は、スモールセル（例えば、フェムトセル、ピコセル等）のような基地局によって、移動体デバイス（ユーザ機器（ＵＥ））からのビーコンを検出する、システムおよび方法に関連する。特に、システムおよび方法は、既存のＲＡＣＨプリアンブルおよびメッセージを実現するＵＥビーコンを検出することに関連する。いくつかの実施形態において、ＵＥは、ターゲットスモールセルへのその近接を発見する。その後、ＵＥは、以前に交渉したコンフィギュレーションパラメータを使用して、ターゲットスモールセルに向けたＲＡＣＨプリアンブルを送信してもよい。ターゲットスモールセルはプリアンブルを検出して、電力セーブモードから高電力モードに変更してもよい。ＵＥは、後にターゲットセルと関係付いてもよい。いくつかの実施形態において、隣接スモールセル（およびオプション的に隣接マクロセル）間の協力ストラテジーは、ＵＥからターゲットセルへのＲＡＣＨ送信が隣接セルによって検出されてもよいように実現されてもよい。その後、ターゲットスモールセルは、隣接スモールセルによって通知される際に、ターゲットスモールセルの電力モードを変更してもよい。いくつかの実施形態において、ターゲットスモールセルに対するセル特有のＩＤを使用して、隣接セルにＲＡＣＨメッセージを送って、電力モード変更をトリガするように、ＵＥは構成されている。
【００５９】
［００５９］
「例として、事例として、あるいは実例として機能すること」を意味するために、用語「例」または「例示的な」をここで使用する。「例示的な」ものとしてここで説明するいずれの実施形態も、他の実施形態と比較して、必ずしも、好ましいまたは有利なものと解釈されるものではない。ここで説明する技術は、コード分割多元接続（ＣＤＭＡ）ネットワーク、時分割多元接続（ＴＤＭＡ）ネットワーク、周波数分割多元接続（ＦＤＭＡ）ネットワーク、直交周波数分割多重化（ＯＦＤＭＡ）ネットワーク、単一搬送波ＦＤＭＡ（ＳＣＦＤＭＡ）ネットワーク等のような、さまざまなワイヤレス通信ネットワークに対して使用してもよい。用語「ネットワーク」および「システム」は、交換可能に使用されることが多い。ＣＤＭＡネットワークは、ユニバーサル地上無線アクセス（ＵＴＲＡ）、ｃｄｍａ２０００等のような、無線技術を実現してもよい。ＵＴＲＡは、ワイドバンド−ＣＤＭＡ（Ｗ−ＣＤＭＡ（登録商標））および低チップレート（ＬＣＲ）ＴＤ−ＳＣＤＭＡを含む。ｃｄｍａ２０００は、ＩＳ−２０００、ＩＳ−９５、およびＩＳ−８５６標準規格をカバーする。ＴＤＭＡネットワークは、移動体通信のためのグローバルシステム（ＧＳＭ（登録商標））のような無線技術を実現してもよい。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ（登録商標）等のような、無線技術を実現してもよい。ＵＴＲＡ、Ｅ−ＵＴＲＡ、およびＧＳＭは、ユニバーサル移動体電気通信システム（ＵＭＴＳ）の一部である。ロングタームエボリューション（ＬＴＥ）は、Ｅ−ＵＴＲＡを使用するＵＭＴＳのアドバンストリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた組織からの文書中に説明されている。ｃｄｍａ２０００は、「第３世代パートナーシッププロジェクト２」（３ＧＰＰ２）と名付けられた組織からの文書中に説明されている。これらのさまざまな無線技術および標準規格は、技術的に知られている。
【００６０】
［００６０］
図１は、図２〜図７の実施形態を含む（が、これらに限定されない）、本開示のさまざまな実施形態にしたがった、処理システム１１４を用いる装置１００に対する例示的なハードウェアコンフィギュレーションのブロックダイヤグラムである。この例において、処理システム１１４は、バス１０２によって一般的に表されたバスアーキテクチャで実現してもよい。バス１０２は、処理システム１１４の特定のアプリケーションと全体的な設計の制約とに依存して、任意の数の相互接続のバスおよびブリッジを含んでいてもよい。バス１０２は、プロセッサ１０４により一般的に表される１つ以上のプロセッサと、コンピュータ読取可能媒体１０６により一般的に表されるコンピュータ読取可能媒体とを含む、さまざまな回路を互いにリンクさせる。バス１０２はまた、タイミングソース、周辺機器、電圧レギュレータ、電力管理回路のような、他のさまざまな回路をリンクさせてもよいが、これらは技術的によく知られているので、これ以上説明しない。バスインタフェース１０８は、バス１０２とトランシーバ１１０との間のインタフェースを提供する。トランシーバ１１０は、送信媒体を通して他のさまざまな装置と通信できる。装置の性質に依存して、ユーザインターフェース１１２（例えば、キーパッド、ディスプレイ、スピーカー、マイクロフォン、ジョイスティック等）も提供されてもよい。
【００６１】
［００６１］
プロセッサ１０４は、バス１０２を管理することと、コンピュータ読取可能記憶媒体１０６上に記憶されているソフトウェアの実行を含む一般的な処理とを担っている。プロセッサ１０４によって実行されるとき、ソフトウェアは、処理システム１１４に、任意の特定の装置に対して本開示中で説明するさまざまな機能を実行させる。コンピュータ読取可能記憶媒体１０６はまた、ソフトウェアを実行するときにプロセッサ１０４によって操作されるデータを記憶するために使用してもよい。
【００６２】
［００６２］
図２は、図３Ａ〜図７の実施形態を含む（が、これらに限定されない）、本開示のさまざまな例示的な実施形態にしたがって、多数のユーザをサポートするように構成されているワイヤレス通信システム２００を図示している。図２中に示すように、例として、システム２００は、例えば、（マクロセル２０２として呼ばれている）マクロセル２０２ａ〜２０２ｇのような複数のセルに対する通信を提供し、各マクロセル２０２は、ノードＢ（ＮＢ）、ｅノードＢ（ｅＮＢ）等としてさまざまに知られてもいる（基地局２０４として呼ばれている）基地局２０４ａ〜２０４ｇのような対応する基地局によりサービス提供される。マクロセル２０２のそれぞれは、２つ以上のセクタにさらに分けられてもよい。基地局２０４のそれぞれは、（例示されていない）コアネットワークに対して適切に結合されていてもよく、さまざまな基地局２０４の間で、いくつかの例では、インターネットに、情報を渡すことが可能になる。（移動局２０６と呼ばれている）移動局２０６ａ〜２０６ｌを含むさまざまな移動局は、アクセス端末（ＡＴ）、ユーザ機器（ＵＥ）等としてもさまざまに知られており、システム２００全体を通して分散されている。移動局２０６のそれぞれは、例えば、基地局２０６がアクティブか否か、基地局２０６がソフトハンドオフ中であるか否かに依存して、所定の瞬間に、ダウンリンク（ＤＬ）および／またはアップリンク（ＵＬ）上で、１つ以上の基地局２０４と通信してもよい。ワイヤレス通信システム２００は、広い地理的領域に渡ってサービスを提供してもよく、例えば、マクロセル２０２は近隣にある数ブロックをカバーしてもよい。別の例において、マクロセル２０２は、マイクロセルまたはピコセルのような、より小さなセル（すなわち、より小さな地理的サービスエリアを有する）を含んでいてもよく、または、マクロセル２０２は、マイクロセルまたはピコセルのような、より小さなセル（すなわち、より小さな地理的サービスエリアを有する）によって置換してもよい。特定の実施形態において、ワイヤレス通信システム２００は、さらにより小さく、より特定の地理的カバレッジエリアを有するフェムトセルを含んでいてもよい。
【００６３】
［００６３］
一般的に、移動局２０６がスイッチオンされるとき、公衆地上移動体ネットワーク（ＰＬＭＮ）が選択され、移動局２０６は、このＰＬＭＮの適切なセルをサーチしてキャンプする。無線アクセス技術（ＲＡＴ）間のセル選択およびセル再選択のための基準は、一般的にさまざまな無線基準に依存する。ＲＡＴに加えて、ＰＬＭＮタイプも同様に異なっていてもよい。移動局２０６は、選択されたＰＬＭＮの適切なセルをサーチし、そのセルを選んで利用可能なサービスを提供し、その制御チャネルに同調する。この選ぶことは、「セルにキャンプすること」として知られている。移動局２０６は、必要な場合、その後、選ばれたセルの登録エリア中におけるその存在を登録し、成功した位置登録の結果として、選択されたＰＬＭＮが登録されたＰＬＭＮになる。
【００６４】
［００６４］
移動局２０６がより適切なセルを見つけた場合、移動局２０６は、そのセルを再選択し、そこにキャンプする。新たなセルが異なる登録エリア中にある場合、位置登録が実行される。必要であれば、移動局２０６は、規則的な時間間隔で、より優先度の高いＰＬＭＮをサーチし、別のＰＬＭＮが選択されている場合、適切なセルをサーチしてもよい。
【００６５】
［００６５］
図３Ａは、図１、図２、図３Ｂ〜図７の実施形態を含む（が、これらに限定されない）、本開示のさまざまな実施形態にしたがって、ネットワーク環境内のホームノードＢ（ＨＮＢ）の配備を可能にする通信システム３００を図示している。図３Ａ中に示すように、システム３００は、例えば、１つ以上のユーザ住宅中のような、対応するスモールスケールネットワーク環境３３０中にインストールされ、ＵＥ３２０と呼ばれている、関係付けられているユーザ機器（ＵＥ）３２０ａ、３２０ｂにサービス提供するように構成されているフェムトセルユニット、あるいは、ピコセルユニット、マイクロセルユニット、またはこれらに類するもののような他のスモールセルユニットのような、スモールセルデバイスを含んでいる。フェムトセルユニット３１０は、例えば、ケーブルまたはＤＳＬ接続である、バックホール接続３３５を経由してインターネット３４０に結合されていてもよい。フェムトセルユニット３１０は、さらに、適切な通信ハードウェアおよびソフトウェアを利用するインターネット３４０を通して移動体運営者コアネットワーク３５０に通信可能に結合されていてもよい。さらに、フェムトセルユニット３１０は、１つ以上のマクロセル基地局３６０に通信可能に結合されていてもよい。特定の実施形態では、マクロセル基地局３６０のうちの１つ以上によってブロードキャストされるエアインターフェースを傍受するために、フェムトセルユニットはネットワークリッスンコンポーネント３７０を利用してもよい。
【００６６】
［００６６］
ここで以下に説明する実施形態のいくつかは、３ＧＰＰの専門用語を使用しているが、実施形態は、３ＧＰＰ技術に適用するとともに、３ＧＰＰ２技術ならびに他の既知で関連する技術にも適用してもよいことを理解すべきである。ここで説明するこのような実施形態において、フェムトセルユニット３１０の所有者は、移動体運営者コアネットワーク３５０を通して提供される、例えば、プロバイダからの３Ｇまたは４Ｇ−ＬＴＥ移動体サービスのような移動体サービスに加入し、ＵＥ３２０は、マクロセルラ環境と住宅の小さなスケールのネットワーク環境３３０との両方において動作してもよい。したがって、フェムトセルユニット３１０は、任意の既存のＵＥ３２０と下位互換性があってもよい。
【００６７】
［００６７］
図３Ｂおよび図３Ｃは、例示的なネットワーク環境を図示している。例えば、図３Ｂにおいて、ＵＥ３２０が、スモールセルデバイス（ＳＣＤ）３１０のカバレッジエリア（ネットワーク環境）３３０中にあり、それにより、デバイス間の通信ができる。別の例として、図３Ｃにおいて、ＵＥ３２０が、スモールセルデバイス３１０のカバレッジエリア３３０の外部にある、または、ＵＥ３２０と通信することができない他の状態にある（例えば、スモールセルデバイスが、減少した送信／受信能力を有する電力セーブモード中にある）。このような実施形態において、例えば、ＵＥ３２０は、１つ以上の隣接セルデバイス（例えば、ＮＣＤ１、ＮＣＤ２）３８０と通信してもよい。隣接セルデバイス３８０のうちの１つ以上は、スモールセルデバイス（例えば、フェムトセルユニット、ピコセルユニット、マイクロセルユニット等）であってもよい。隣接セルデバイス３８０のうちの１つ以上は、マクロ基地局（例えば、図３Ａ中の移動体運営者コアネットワーク３５０のような、マクロ基地局）であってもよい。
【００６８】
［００６８］
図４Ａは、図１〜図３Ｃおよび図４Ｂ〜図７の実施形態を含む（が、これらに限定されない）、本開示のさまざまな実施形態にしたがったフェムトセルユニット３１０のようなスモールセルユニットを図示している。図４Ａにおいて、多数のブロックが、プロセッサまたは制御装置としてラベル付けされている。これらのプロセッサのそれぞれは、プロセッサ１０４（図１参照）または処理システム１１４（図１参照）のようなハードウェアプロセッサとして実現してもよく、あるいは代わりに、任意の数の図示するプロセッサによって実行される機能が組み合わされ、単一のハードウェアプロセッサによって実現してもよいことは当業者であれば理解するだろう。さらに、図４Ａ中で図示するプロセッサは、プロセッサ、ソフトウェアまたはこれらに類するものによって実現されることになる機能を表しているかもしれない。
【００６９】
［００６９］
図１〜図４Ａを参照すると、さまざまな実施形態において、ネットワークリッスンコンポーネント３７０は、隣接セルデバイス発見、干渉管理、モビリティ管理、および／またはこれらに類するものに対するものであってもよい。特定の実施形態において、ネットワークリッスンコンポーネント３７０は、フェムトセルユニット３１０を構成することと、同期のための、タイミングおよび周波数情報を検索することとに対するものであってもよい。ネットワークリッスンコンポーネント３７０は、さまざまな利用可能チャネル上で、信号および干渉レベルを受信して測定するための、ダウンリンク受信機３７１および受信プロセッサ３７２を含んでいてもよい。ネットワークリッスンコンポーネント３７０は、受信機３７１および受信プロセッサ３７２をさらに利用して、タイミングおよび周波数情報を隣接セルから取得し、モビリティおよび干渉管理目的のために、これらのセルからのブロードキャストメッセージをデコードしてもよい。例えば、ネットワークリッスンコンポーネント３７０は、周囲のセルを周期的にスキャンすることによってこれを達成してもよい。フェムトセルユニット３１０は、ワイヤレス広域ネットワーク（ＷＷＡＮ）トランシーバ３１１とＷＷＡＮプロセッサ３１２とを含むワイヤレス広域ネットワーク（ＷＷＡＮ）コンポーネントと、ワイヤレスパーソナルエリアネットワーク（ＷＰＡＮ）トランシーバ３１３とＷＰＡＮプロセッサ３１４とを含むＷＰＡＮコンポーネントとをさらに含んでいてもよい。ここで、ＷＰＡＮコンポーネントはオプション的なものであり、フェムトセルユニット３１０に近接したＵＥとの、低電力、帯域外通信に利用してもよい。フェムトセルユニット３１０は、フェムトセルユニット３１０の内部または外部にあってよいモデム４００との通信を促進するバックホールＩ／Ｏユニット３１６と、フェムトセルユニット３１０のさまざまな機能を制御し調整する制御装置／プロセッサ３１５と、制御装置／プロセッサ３１５による利用のための情報を記憶するメモリ３１７とをさらに含んでいてもよい。
【００７０】
［００７０］
図４Ｂは、図１〜図４Ａおよび図５〜図７の実施形態を含む（が、これらに限定されない）、本開示のさまざまな実施形態にしたがったＵＥ３２０のようなユーザ機器を図示している。図４Ｂにおいて、多数のブロックがプロセッサまたは制御装置としてラベル付されている。これらのプロセッサのそれぞれは、プロセッサ１０４（図１参照）または処理システム１１４（図１参照）のようなハードウェアプロセッサとして実現してもよく、あるいは代わりに、任意の数の図示するプロセッサによって実行される機能が組み合わされ、単一のハードウェアプロセッサによって実現してもよいことは当業者であれば理解するだろう。さらに、図４Ｂ中に図示したプロセッサは、プロセッサ、ソフトウェア、またはこれらに類するものによって実現されることになる機能を表しているかもしれない。
【００７１】
［００７１］
図１〜図４Ｂを参照すると、ＵＥ３２０は、ＷＷＡＮトランシーバ４２０とＷＷＡＮプロセッサ４３０とを含んでいてもよい。ＵＥ３２０は、ＷＰＡＮトランシーバ４４０とＷＡＰＮプロセッサ４５０とを含んでいてもよい。したがって、ＵＥ３２０は、ＷＷＡＮリンクおよび／またはＷＰＡＮリンクを、フェムトセルユニット３１０と確立するように構成されてもよい。さらに、ＵＥ３２０は、例えば、（図示されていない）キーパッドからユーザ入力を受け入れ、例えば、（図示されていない）ディスプレイに出力を提供するＩ／Ｏ４７０を含んでいてもよい。さらに、ＵＥ３２０は、ＵＥ３２０のさまざまな機能を制御する制御装置／プロセッサ４６０と、制御装置／プロセッサ４６０によって使用される情報を記憶するメモリ４８０とを含んでいてもよい。
【００７２】
［００７２］
さまざまな実施形態において、フェムトセルユニット３１０（または他のスモールセルデバイス）の動作は、例えば、ＵＥ３２０によって送信される周期的なビーコンを通して、ＵＥ３２０による近接インジケーションに基づいて制御される。一般的に、ＵＥ３２０がフェムトセルユニット３１０のカバレッジエリア中にないとき、フェムトセルユニット３１０は、電力セーブモード（または低電力モード）中にある。ＵＥ３２０がフェムトセルユニット３１０に近接するとき、フェムトセルユニット３１０は、ビーコンを検出してもよく（または、ビーコンを検出している隣接セルデバイスによって通知されてもよく）、高電力モードに入り、ＵＥ３２０にサービス提供する。ＵＥ３２０にビーコンを送信させることにより、フェムトセルユニット３１０は、ビーコンが検出されるまで、電力セーブモード中のままであってもよい。これは、フェムトセルユニット３１０が高電力モード中のままであり（すなわち、オンのままであり）、ＵＥ３２０による検出のために、ビーコンをＵＥ３２０に送信する、従来のシステムとは対照的である。
【００７３】
［００７３］
特定の実施形態において、ＲＡＣＨプリアンブル（またはＲＡＣＨメッセージ）を、ビーコンとして実現してもよい。このような実施形態は、既存のシグナリングメカニズム（ＲＡＣＨプリアンブルおよびメッセージ）が近接検出（ビーコニング）の目的のために再使用されるという点で有利である。
【００７４】
［００７４］
図５Ａは、本開示のさまざまな実施形態にしたがった、ビーコン検出Ｂ５００の方法を図示している。図１〜図５Ａを参照すると、方法Ｂ５００は、（例えば、スモールセルデバイス３１０および／またはＵＥ３２０の処理システム１００中で、）スモールセルデバイス３１０および／またはＵＥ３２０のうちの１つ以上によって実現してもよい。
【００７５】
［００７５］
ブロックＢ５１０において、スモールセルデバイス３１０およびＵＥ３２０が、ＲＡＣＨビーコン関連情報を交換する（例えば、図３Ｂ参照）。ブロードキャストメッセージ中で（例えば、ＵＭＴＳにおけるシステム情報ブロックタイプ５（ＳＩＢ５）メッセージ中で）、スモールセルデバイス３１０からＵＥ３２０に送信されるいくつかのパラメータがある。パラメータは、ＲＡＣＨプリアンブルとＲＡＣＨメッセージとをスモールセルデバイス３１０に送るために、ＵＥ３２０によって使用される。パラメータは、アクセススロット、プリアンブルスクランブルコード、プリアンブル署名、データ部分に対する拡散係数、各アクセスサービスクラス（ＡＳＣ）に対して利用可能な署名およびサブチャネル、電力制御情報等のうちの１つ以上を含んでいてもよい（が、これらに限定されない）。
【００７６】
［００７６］
ブロックＢ５２０において、例えば、ＵＥ３２０が、もはやスモールセルデバイス３１０のカバレッジエリア中にないとき、スモールセルデバイス３１０が電力セーブモード（または第１のモードまたは低電力モード）になる。電力セーブモード中、スモールセルデバイス３１０の、ネットワークリスニングコンポーネント３７０のようなＲＡＣＨ傍受モジュールは、ＲＡＣＨビーコン（例えば、ＲＡＣＨプリアンブル）を受信するために、または、そうでなければ検出するために、アクティブ化されたままである。電力セーブモード中、受信のおよび／または送信の他の形態をディセーブルしてもよい。
【００７７】
［００７７］
ブロックＢ５３０において、例えば、スモールセルデバイス３１０のカバレッジエリアに再び入る際、ＵＥ３２０が、隣接マップを通してまたはスモールセルデバイスを検出するための他の何らかの適切な方法（例えば、帯域外（ＯＯＢ）シグナリング、位置推定等）を通して、スモールセルデバイス３１０への近接を検出してもよい。
【００７８】
［００７８］
ブロックＢ５４０において、例えば、スモールセルデバイス３１０の近接検出に応答して、ＵＥ３２０が、ブロックＢ５１０において交換したビーコン関連情報とともに、ＲＡＣＨプリアンブル（ビーコン）をスモールセルデバイス３１０に送る。例えば、スモールセルデバイス３１０からのダウンリンクパイロット信号を検出することなく、ＵＥ３２０は、ビーコニングに対して指定されたＲＡＣＨプリアンブルを送ってもよい。
【００７９】
［００７９］
ブロックＢ５５０において、例えば、ビーコンを受信することに応答して、スモールセルデバイス３１０が、高電力モード（または第２のモード）に入り、ＵＥ３２０が、スモールセルデバイス３１０と関係付く。スモールセルデバイス３１０が高電力モードに入った後、後続するＲＡＣＨ手順が開始され、セル再選択を完了してもよい。
【００８０】
［００８０］
上記で説明した図５Ａ中の方法Ｂ５００は、図５Ｂ中に図示したミーンズプラスファンクションブロック５００’ に対応する、さまざまなハードウェアおよび／またはソフトウェアのコンポーネントおよび／またはモジュールによって実行してもよい。言い換えると、図５Ａ中に図示したＢ５１０からブロックＢ５４０は、図５Ｂ中に図示したミーンズプラスファンクションブロックＢ５１０’ からブロックＢ５４０’ に対応する。
【００８１】
［００８１］
図６Ａは、本開示のさまざまな実施形態にしたがった、ビーコン検出Ｂ６００の方法を図示している。図１〜図６Ａを参照すると、方法Ｂ６００は、（例えば、スモールセルデバイス３１０および／またはＵＥ３２０の処理システム１００中で、）スモールセルデバイス３１０および／またはＵＥ３２０のうちの１つ以上によって実現してもよい。
【００８２】
［００８２］
ブロックＢ６１０において、スモールセルデバイス３１０およびＵＥ３２０が、ＲＡＣＨビーコン関連情報を交換する（例えば、図３Ｂを参照）。ブロードキャストメッセージ中で（例えば、ＵＭＴＳにおけるＳＩＢ５メッセージ中で）、スモールセルデバイス３１０からＵＥ３２０に送信されるいくつかのパラメータがある。パラメータは、ＲＡＣＨプリアンブルとＲＡＣＨメッセージとをスモールセルデバイス３１０に送るために、ＵＥ３２０によって使用される。パラメータは、アクセススロット、プリアンブルスクランブルコード、プリアンブル署名、データ部分に対する拡散係数、各アクセスサービスクラス（ＡＳＣ）に対して利用可能な署名およびサブチャネル、電力制御情報等を含んでいてもよい（が、これらに限定されない）。
【００８３】
［００８３］
ブロックＢ６２０において、スモールセルデバイスが、ビーコン関連情報を隣接セルデバイス３８０のうちの１つ以上と交換する。加えて、スモールセルデバイス３１０は、スモールセルデバイス３１０が電力セーブモードに移行していると隣接セルデバイス３８０に通知してもよい。
【００８４】
［００８４］
ブロックＢ６３０において、例えば、ＵＥ３２０が、もはやスモールセルデバイス３１０のカバレッジエリア中にないとき（例えば、図３Ｃ参照）、スモールセルデバイス３１０が電力セーブモード（または第１のモードまたは低電力モード）になる。いくつかの実施形態において、電力セーブモードの間に、隣接セルデバイス３８０は、（例えば、それぞれのネットワークリスニングコンポーネント３７０を通して）ＲＡＣＨ傍受を実行して、ビーコン関連情報中で識別されたＵＥ３２０を検出してもよい。いくつかの実施形態において、電力セーブモード中、スモールセルデバイス３１０は、ネットワークリスニングコンポーネント３７０を動作させることを継続して、隣接セルデバイス３８０から通知を受信してもよく、または、そうでなければ検出してもよい。電力セーブモード中、受信および／または送信の他の形態をディセーブルしてもよい。他の実施形態において、スモールセルデバイス３１０は、バックホール３３５またはこれに類するものを通して通知を受信してもよい。
【００８５】
［００８５］
ブロックＢ６４０において、例えば、スモールセルデバイス３１０のカバレッジエリア３３０または隣接セルデバイス３８０のカバレッジエリアに再び入る際（例えば、図３Ｃ参照）、ＵＥ３２０が、隣接マップを通してまたはスモールセルデバイス３１０を検出するための他の何らかの適切な方法（例えば、対域外（ＯＯＢ）シグナリング、位置推定等）を通して、スモールセルデバイス３１０または隣接セルデバイス３８０への近接を検出してもよい。
【００８６】
［００８６］
ブロックＢ６５０において、例えば、近接検出に応答して、ＵＥ３２０が、ブロックＢ６１０においてＵＥ３２０とスモールセルデバイス３１０との間で交換したビーコン関連情報とともに、ＲＡＣＨプリアンブル（ビーコン）を送信してもよく、ビーコン関連情報はまた、ブロックＢ６２０において、スモールセルデバイス３１０と隣接セルデバイス３８０との間で交換されていたものである。例えば、ＲＡＣＨは、アップリンクデータ送信、セル更新、ＲＲＣ接続要求、および／または、これらに類するものに対するものであってもよい。
【００８７】
［００８７］
ブロックＢ６６０において、例えば、ＵＥ３２０からのビーコンの検出に応答して、隣接セルデバイス３８０のうちの１つ以上がスモールセルデバイス３１０に通知する。
【００８８】
［００８８］
ブロックＢ６７０において、例えば、通知を受信することに応答して、スモールセルデバイス３１０が高電力モード（または第２のモード）に入り、ＵＥ３２０がスモールセルデバイス３１０と関係付く。スモールセルデバイス３１０が高電力モードに入った後、後続するＲＡＣＨ手順が開始され、セル再選択を完了してもよい。
【００８９】
［００８９］
このような実施形態が、ＲＡＣＨ傍受を実行する複数のスモールセルデバイスを含むことから、ＵＥ３２０の存在を検出する確率が増加する。加えて、ＵＥ３２０の存在を検出できるエリアが増加する。結果として、ＵＥ３２０の存在がより早く検出でき、スモールセルデバイス３１０が高電力モードにより早く入ることができるようにする。したがって、ＵＥ３２０がスモールセルデバイス３１０のカバレッジに入るときまでに、スモールセルデバイス３１０は高電力モードに入っており、ＵＥによる、検出および再選択のためのオーバーヘッドチャネルの送信を開始していてもよく、それゆえに、ハンドオーバー待ち時間が減る。
【００９０】
［００９０］
上記で説明した図６Ａにおける方法６００は、図６Ｂにおいて図示したミーンズプラスファンクションブロックＢ６００’ に対応する、さまざまなハードウェアおよび／またはソフトウェアのコンポーネントおよび／またはモジュールによって実行してもよい。言い換えると、図６Ａ中に図示したＢ６１０からＢ６４０は、図６Ｂ中に図示したミーンズプラスファンクションブロックＢ６１０’ からＢ６４０’ に対応する。
【００９１】
［００９１］
図１〜図７を参照すると、さまざまな実施形態において、ビーコン検出方法は、ＵＥ３２０がビーコンとしてＲＡＣＨメッセージを送信することを含んでいてもよい。ＲＡＣＨメッセージは隣接セルデバイス３８０のうちの１つ以上によって受信されてもよい。図７は、本開示のさまざまな実施形態にしたがった、ビーコン検出Ｂ７００のこのような方法を図示している。図１〜図７を参照すると、方法Ｂ７００は、（例えば、スモールセルデバイス３１０および／またはＵＥ３２０処理システム１００中で、）スモールセルデバイス３１０および／またはＵＥ３２０のうちの１つ以上によって実現してもよい。
【００９２】
［００９２］
ブロック７１０において、スモールセルデバイス３１０およびＵＥ３２０が、ＲＡＣＨビーコン関連情報を交換する（例えば、図３Ｂ参照）。ブロードキャストメッセージ中で（例えば、ＵＭＴＳにおけるＳＩＢ５メッセージ中で）、スモールセルデバイス３１０からＵＥ３２０に送信されるいくつかのパラメータがある。パラメータは、ＲＡＣＨプリアンブルとＲＡＣＨメッセージとをスモールセルデバイス３１０に送るために、ＵＥ３２０によって使用される。パラメータは、アクセススロット、プリアンブルスクランブルコード、プリアンブル署名、データ部分に対する拡散係数、各アクセスサービスクラス（ＡＳＣ）に対して利用可能な署名およびサブチャネル、電力制御情報等を含んでいてもよい（が、これらに限定されない）。
【００９３】
［００９３］
ブロックＢ７２０において、スモールセルデバイス３１０が、ビーコン関連情報を隣接セルデバイス３８０のうちの１つ以上と交換する。加えて、スモールセルデバイス３１０は、スモールセルデバイス３１０が電力セーブモードに移行していると隣接セルデバイス３８０に通知してもよい。隣接セルデバイス３８０は、例えば、第１の隣接セルデバイス３８１を含んでいてもよい。いくつかの実施形態において、隣接セルデバイス３８０のうちの少なくとも１つは、ビーコン関連情報をスモールセルデバイス３１０と交換しなかった、または、そうでなければ協調方法Ｂ７００を実現しない、第２の隣接セルデバイスを含んでいてもよい。
【００９４】
［００９４］
スモールセルデバイス３１０は、隣接発見の間、この情報を隣接セルデバイス３８０と共有してもよい。例えば、いくつかの実施形態において、スモールセルデバイス３１０は、そのセルブロードキャスト情報中の予め規定されたフィールドを通して、Ｂ７００の方法（またはこれに類するもの）に参加するスモールセルデバイス３１０のその意向を隣接セルデバイス３８０に報知してもよい。別の実施形態において、スモールセルデバイス３１０は、電力セーブモードになる前に、隣接セルデバイス３８０のすべてまたは隣接セルデバイス３８０のサブセットに対して、このような方法に参加するそれらの意向についての問い合わせを送ってもよい。
【００９５】
［００９５］
ブロックＢ７３０において、例えば、ＵＥ３２０が、もはやスモールセルデバイス３１０のカバレッジエリア３３０中にないとき、スモールセルデバイス３１０が電力セーブモード（または第１のモード）になる。いくつかの実施形態において、電力セーブモード中の間に、隣接セルデバイス３８０のうちの１つ以上は、（例えば、それぞれのネットワークリスニングコンポーネント３７０を通して）ＲＡＣＨ傍受を実行して、ＵＥ３２０を検出してもよい。いくつかの実施形態において、電力セーブモード中、スモールセルデバイス３１０は、ネットワークリスニングコンポーネント３７０を動作させることを継続して、ＲＡＣＨビーコン（例えば、ＲＡＣＨメッセージ）および／または他のスモールセルデバイスから通知を受信してもよく、または、そうでなければ検出してもよい。電力セーブモード中、受信および／または送信の他の形態をディセーブルしてもよい。他の実施形態において、スモールセルデバイス３１０は、バックホール３３５またはこれに類するものを通して通知を受信してもよい。
【００９６】
［００９６］
ブロックＢ７４０において、例えば、スモールセルデバイス３１０のカバレッジエリア３３０または隣接セルデバイス３８０のカバレッジエリアに再び入る際、ＵＥ３２０が、隣接マップを通してまたはスモールセルデバイス３１０を検出するための他の何らかの適切な方法（例えば、対域外（ＯＯＢ）シグナリング、位置推定等）を通して、スモールセルデバイス３１０および／または隣接セルデバイス３８０への近接を検出してもよい。
【００９７】
［００９７］
ブロックＢ７５０において、例えば、近接検出に応答して、ＵＥ３２０が、ＲＡＣＨメッセージを第１の隣接セルデバイス３８１のような隣接セルデバイス３８０のうちの少なくとも１つに送ってもよい。例えば、ＵＥ３２０は、ＲＡＣＨメッセージを、ＵＥ３２０が現在関係付けられている隣接セルデバイス３８０（例えば、第１の隣接セルデバイス３８１）に送ってもよい。
【００９８】
［００９８］
ＲＡＣＨメッセージは、スモールセルデバイス３１０の一意的な識別子またはこれに類するものを有するセル更新メッセージであってもよい。例えば、一意的な識別子は、ＵＴＲＡＮ無線ネットワーク一時識別子（Ｕ−ＲＮＴＩ）中の担当無線ネットワーク制御識別子（ＳＲＮＣ−ＩＤ）であってもよい。
【００９９】
［００９９］
いくつかの実施形態において、ブロックＢ７６０において、例えば、ＵＥ３２０からのＲＡＣＨメッセージ（ビーコン）を受信することに応答して、第１の隣接セルデバイス３８１がＵＥ３２０の存在を（ＲＡＣＨメッセージ中の一意的な識別子に基づいて）スモールセルデバイス３１０に通知する。これは、例えば、（例えば、ブロックＢ７５０中のように）ＵＥ３２０がＲＡＣＨメッセージを送る隣接セルデバイス（例えば、第１の隣接セルデバイス３８１）が、（例えば、ブロックＢ７２０中のような）協調方法Ｂ７００を実現している場合に生じてもよい。したがって、第１の隣接セルデバイス３８１は、例えば、高電力モードに入るようにスモールセルデバイス３１０に要求するかもしれない。
【０１００】
［０１００］
他の実施形態において、ブロックＢ７７０において、例えば、ＵＥ３２０からのＲＡＣＨメッセージ（ビーコン）を傍受することに応答して、第１の隣接セルデバイス３８１はＵＥ３２０の存在を（ＲＡＣＨメッセージ中の一意的な識別子に基づいて）スモールセルデバイス３１０に通知する。これは、例えば、（例えば、ブロックＢ７５０中のように）ＵＥ３２０がＲＡＣＨメッセージを送る隣接セルデバイス（例えば、第２の隣接セルデバイス３８２）が、（例えば、ブロックＢ７２０中のような）協調方法Ｂ７００を実現していない場合に生じてもよい。第２の隣接セルデバイス３８２は、ＵＥ３２０からのＲＡＣＨメッセージを拒絶してもよいが、第１の隣接セルデバイス３８１はＲＡＣＨメッセージを傍受してもよい。したがって、第１の隣接セルデバイス３８１は、例えば、高電力モードに入るようにスモールセルデバイス３１０に要求するかもしれない。
【０１０１】
［０１０１］
さらに他の実施形態において、ブロックＢ７８０において、例えば、ネットワークリスニングコンポーネント３７０を通して、スモールセルデバイス３１０がＲＡＣＨメッセージを傍受し、ＳＲＮＣ−ＩＤまたはこれに類するもののような、その一意的な識別子を検出してもよい。これは、例えば、（例えば、ブロックＢ７５０中のように）ＵＥ３２０がＲＡＣＨメッセージを送る隣接セルデバイス（例えば、第２の隣接セルデバイス３８２）が、（例えば、ブロックＢ７２０中のような）協調方法Ｂ７００を実現していない場合に生じてもよい。第２の隣接セルデバイス３８２は、ＵＥ３２０からのＲＡＣＨメッセージを拒絶してもよいが、スモールセルデバイス３１０は、ＲＡＣＨメッセージを傍受してもよい。
【０１０２】
［０１０２］
ブロックＢ７９０において、例えば、通知（例えば、ブロックＢ７６０またはブロックＢ７７０）を受信すること、または、ＲＡＣＨメッセージを傍受すること（例えば、ブロックＢ７８０）に応答して、スモールセルデバイス３１０が高電力モードに入る。したがって、ＵＥ３２０がスモールセルデバイス３１０と関係付いてもよい。
【０１０３】
［０１０３］
このような実施形態が、ＲＡＣＨ傍受を実行する複数のスモールセルデバイスを含むことから、ＵＥ３２０の存在を検出する確率が増加する。加えて、ＵＥ３２０の存在が検出できるエリアが増加する。結果として、ＵＥ３２０の存在がより早く検出でき、スモールセルデバイス３１０がより早く高電力モードに入ることができるようにする。したがって、ＵＥ３２０がスモールセルデバイス３１０のカバレッジに入るときまでに、スモールセルデバイス３１０は高電力モードに入っており、ＵＥによる、検出および再選択のためのオーバーヘッドチャネルの送信を開始していてもよく、それゆえに、システムの待ち時間が減る。
【０１０４】
［０１０４］
さまざまな実施形態において、スモールセルデバイス３１０およびＵＥ３２０はパラメータのサブセットを選択して、ビーコニング方法（例えば、Ｂ５００、Ｂ６００、Ｂ７００等）の一部として使用してもよい。例えば、特定の実施形態において、スモールセルデバイス３１０およびＵＥ３２０は、ビーコニングとして使用するためのプリアンブル署名のサブセットを選択してもよい。典型的に、ＵＭＴＳにおいて、プリアンブル送信の間、ＵＥは１６のプリアンブル署名のうちの１つを選んでもよい。しかしながら、いくつかの実施形態において、ＵＥは、１５のプリアンブル署名から選び、ビーコニング目的のみの１つの（または他の数の）プリアンブル署名を選択してもよい。したがって、（本開示において説明したように）電力セーブモード中のとき、スモールセルデバイス３１０は、選択したプリアンブル署名に対してのみサーチする必要があり、他の１５のプリアンブル署名に対してサーチする必要はない。
【０１０５】
［０１０５］
さまざまな実施形態において、スモールセルデバイス３１０および／または隣接セルデバイス３８０のうちの１つ以上は、セルデバイスが電力セーブモードに入ることができるようにするためにスケジュールを調整するように構成されている。
【０１０６】
［０１０６］
開示されるプロセスにおけるステップの特定の順序または階層は、例示的なアプローチの例であると理解すべきである。設計選択に基づいて、プロセスにおけるステップの特定の順序または階層は、本開示の範囲内でありながら、再構成してもよいと理解すべきである。添付の方法の特許請求の範囲は、サンプル順序でさまざまなステップのエレメントを提示しているが、提示された特定の順序または階層に限定されることを意味するものではない。
【０１０７】
［０１０７］
当業者であれば、さまざまな異なる技術および技法のうちのいずれかを使用して、情報および信号を表してもよいことを理解するだろう。例えば、上記の記述全体を通して参照されるかもしれない、データ、命令、コマンド、情報、信号、ビット、シンボルおよびチップは、電圧、電流、電磁波、磁界または磁粒、光界または光粒、あるいは、これらの任意の組み合わせにより表されてもよい。
【０１０８】
［０１０８］
ここで開示した実施形態に関連して説明した、さまざまな例示的な論理ブロック、モジュール、回路、およびアルゴリズムステップは、電子ハードウェア、コンピュータソフトウェア、あるいは双方を組み合わせたものとして実現してもよいことを、当業者はさらに認識するだろう。ハードウェアおよびソフトウェアのこの互換性を明確に図示するために、さまざまな例示的なコンポーネント、ブロック、モジュール、回路、およびステップを、これらの機能性に関して上記で一般的に説明している。このような機能性が、ハードウェアまたはソフトウェアとして実現されるか否かは、システム全体に課せられている、特定のアプリケーションおよび設計制約に依存する。熟練者は、各特定のアプリケーションに対してさまざまな方法で、説明した機能性を実現するかもしれないが、このようなインプリメンテーションの決定は、本開示の範囲から逸脱が生じるとして解釈されるべきでない。
【０１０９】
［０１０９］
ここで開示した実施形態に関連して説明したさまざまな例示的な、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、あるいはここに説明した機能を実行するように設計されたこれらの任意の組み合わせで、実現または実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションである、コンピューティングデバイスの組み合わせとして実現してもよい。
【０１１０】
［０１１０］
ここで開示した実施形態に関連して説明した方法またはアルゴリズムのステップは、直接ハードウェアにおいて、プロセッサによって実行されるソフトウェアモジュールにおいて、または２つの組み合わせにおいて、具現化してもよい。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバルディスク、ＣＤ−ＲＯＭ、または技術的に既知である他の何らかの形態の記憶媒体中に存在してもよい。例示的な記憶媒体は、プロセッサが記憶媒体から情報を読み取り、記憶媒体に情報を書き込むことができるように、プロセッサに結合されている。代替実施形態では、記憶媒体はプロセッサと一体化してもよい。プロセッサおよび記憶媒体はＡＳＩＣ中に存在してもよい。ＡＳＩＣは、ユーザ端末中に存在していてもよい。代替実施形態では、プロセッサおよび記憶媒体は、ユーザ端末中にディスクリートコンポーネントとして存在してもよい。
【０１１１】
［０１１１］
１つ以上の例示的な実施形態では、説明した機能は、ハードウェア、ソフトウェア、ファームウェア、またはこれらの任意の組み合わせで実現してもよい。ソフトウェアで実現する場合、機能は、１つ以上の命令またはコードとしてコンピュータ読取可能媒体上に記憶されてもよく、あるいは、１つ以上の命令またはコードとしてコンピュータ読取可能媒体上に送信されてもよい。コンピュータ読取可能媒体は、１つの場所から別の場所へのコンピュータプログラムの転送を促進する任意の媒体を含む、コンピュータ記憶媒体および通信媒体の両方を含む。記憶媒体は、コンピュータによってアクセスできる任意の利用可能な媒体であってもよい。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいはコンピュータによってアクセスできる命令またはデータ構成の形態で所望のプログラムコードを運ぶまたは記憶するために使用できる他の何らかの媒体を含んでいてもよい。加えて、任意の接続は、コンピュータ読取可能媒体と適切に呼ばれる。例えば、同軸ケーブル、光ファイバケーブル、撚り対、デジタル加入者回線（ＤＳＬ）、あるいは、赤外線、無線、およびマイクロ波のようなワイヤレス技術を使用して、ウェブサイト、サーバ、または、他の遠隔ソースから、ソフトウェアが送信される場合には、同軸ケーブル、光ファイバケーブル、撚り対、ＤＳＬ、あるいは、赤外線、無線、およびマイクロ波のようなワイヤレス技術は、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ読取可能媒体の範囲内に含まれるべきである。
【０１１２】
開示した実施形態のこれまでの説明は、当業者が本開示を製作または使用できるように提供した。これらの実施形態に対するさまざま改良は当業者に容易に明らかとなり、ここに規定した一般的な原理は、本開示の精神または範囲から逸脱することなく、他の実施形態に適用されてもよい。したがって、本開示は、ここで示した実施形態に限定されることを意図しているものではなく、ここで開示した原理と新しい特徴とに一致した最も広い範囲に一致させるべきである。
以下に、本願出願の当初の特許請求の範囲に記載された発明を付記する。
［１］  スモールセルデバイスによって実行されるビーコン検出の方法において、
ビーコンパラメータをユーザ機器（ＵＥ）と交換することと、
前記ビーコンパラメータを前記ＵＥと交換した後に、低電力モードに入ることと、
前記低電力モードの間に、前記ビーコンパラメータを含むランダムアクセスチャネル（ＲＡＣＨ）プリアンブル中のビーコンを、前記ＵＥから受信することと、
前記ビーコンを受信することに応答して、高電力モードに入ることと、
前記高電力モードの間に、前記ＵＥと関係付くこととを含む方法。
［２］  前記高電力モードの間に、前記ビーコンパラメータが前記ユーザ機器と交換される［１］記載の方法。
［３］  前記低電力モードにおいて、前記ビーコンを受信する前記スモールセルデバイスのリスニングコンポーネントがアクティブ化され、データパケットを受信する前記スモールセルデバイスのトランシーバが非アクティブ化され、
前記高電力モードにおいて、前記スモールセルデバイスの前記リスニングコンポーネントがアクティブ化され、前記スモールセルデバイスの前記トランシーバがアクティブ化される［１］記載の方法。
［４］  前記ＵＥが前記スモールセルデバイスのカバレッジ中にないとき、前記スモールセルデバイスは、前記低電力モードに入る［１］記載の方法。
［５］  前記スモールセルデバイスは、フェムトセルユニットである［１］記載の方法。
［６］  前記関係付くことは、後続するＲＡＣＨ手順を実行して、セル再選択を完了することを含む［１］記載の方法。
［７］  ユーザ機器によって実行されるビーコン送信の方法において、
ビーコンパラメータをスモールセルデバイスと交換することと、
前記スモールセルデバイスの存在を検出することと、
前記検出することに応答して、前記ビーコンパラメータを含むランダムアクセスチャネル（ＲＡＣＨ）プリアンブル中のビーコンを、前記スモールセルデバイスに送信することと、
前記スモールセルデバイスと関係付くこととを含む方法。
［８］  前記スモールセルデバイスが低電力モードの間に、前記スモールセルデバイスの存在が検出され、
前記スモールセルデバイスが高電力モードの間に、前記パラメータが前記ユーザ機器と交換され、
前記スモールセルデバイスが前記高電力モードの間に、前記ユーザ機器が前記スモールセルデバイスと関係付けられる［７］記載の方法。
［９］  前記関係付くことは、後続するＲＡＣＨ手順を実行して、セル再選択を完了することを含む［７］記載の方法。
［１０］  前記スモールセルデバイスの存在は、隣接マップと、帯域外シグナリングと、位置推定とのうちの少なくとも１つを通して検出される［７］記載の方法。
［１１］  スモールセルデバイスによって実行されるビーコン検出の方法において、
ビーコンパラメータをユーザ機器（ＵＥ）と交換することと、
前記ビーコンパラメータを隣接セルデバイスに送信することと、
前記ビーコンパラメータを前記ＵＥと交換した後に、低電力モードに入ることと、
前記低電力モードの間に、前記隣接セルが前記ビーコンパラメータを含むランダムアクセスチャネル（ＲＡＣＨ）プリアンブル中のビーコンを前記ＵＥから受信することに応答して、通知を前記隣接セルデバイスから受信すること、
前記通知を受信することに応答して、高電力モードに入ることと、
前記高電力モードの間に、前記ＵＥと関係付くこととを含む方法。
［１２］  前記隣接セルデバイスは、スモールセルデバイスを含む［１１］記載の方法。
［１３］  前記隣接セルデバイスは、マクロセルデバイスを含む［１１］記載の方法。
［１４］  前記通知は、前記スモールセルデバイスへのバックホールを通して受信される［１１］記載の方法。
［１５］  前記高電力モードの間に、前記ビーコンパラメータが前記ＵＥと交換される［１１］記載の方法。
［１６］  前記低電力モードにおいて、前記通知を受信する前記スモールセルデバイスのリスニングコンポーネントがアクティブ化され、データパケットを受信する前記スモールセルデバイスのトランシーバが非アクティブ化され、
前記高電力モードにおいて、前記スモールセルデバイスの前記リスニングコンポーネントがアクティブ化され、前記スモールセルデバイスの前記トランシーバがアクティブ化される［１１］記載の方法。
［１７］  前記ＵＥが前記スモールセルデバイスのカバレッジ中にないとき、前記スモールセルデバイスは、前記低電力モードに入る［１１］記載の方法。
［１８］  前記スモールセルデバイスは、フェムトセルユニットである［１１］記載の方法。
［１９］  前記関係付くことは、後続するＲＡＣＨ手順を実行して、セル再選択を完了することを含む［１１］記載の方法。
［２０］  ユーザ機器によるビーコン検出送信の方法において、
ビーコンパラメータをスモールセルデバイスと交換することと、
前記スモールセルデバイスに関係付けられている隣接セルデバイスの存在を検出することと、
前記検出することに応答して、前記ビーコンパラメータを含むランダムアクセスチャネル（ＲＡＣＨ）メッセージ中のビーコンを、前記隣接セルデバイスに送信することと、
前記スモールセルデバイスと関係付くこととを含む方法。
［２１］  前記スモールセルデバイスが低電力モードの間に、前記隣接セルデバイスの存在が検出され、
前記スモールセルデバイスが高電力モードの間に、前記パラメータが前記ユーザ機器と交換され、
前記スモールセルデバイスが前記高電力モードの間に、前記ユーザ機器が前記スモールセルデバイスと関係付けられる［２０］記載の方法。
［２２］  前記関係付くことは、後続するＲＡＣＨ手順を実行して、セル再選択を完了することを含む［２０］記載の方法。
［２３］  前記スモールセルデバイスの存在は、隣接マップと、帯域外シグナリングと、位置推定とのうちの少なくとも１つを通して検出される［２０］記載の方法。
［２４］  スモールセルデバイスによって実行されるビーコン検出の方法において、
ビーコンパラメータをユーザ機器（ＵＥ）と交換することと、
前記ビーコンパラメータを第１の隣接セルデバイスに送信することと、
前記ビーコンパラメータを前記ＵＥと交換した後に、低電力モードに入ることと、
前記低電力モードの間に、（ｉ）前記スモールセルの識別子を含むランダムアクセスチャネル（ＲＡＣＨ）メッセージ中のビーコンと、（ｉｉ）前記隣接セルデバイスが前記スモールセルデバイスの識別子を含む前記ＵＥからのＲＡＣＨメッセージ中のビーコンを検出することに応答した、前記第１の隣接セルデバイスからの通知とのうちの少なくとも１つを受信することと、
第２の通知を受信することに応答して、高電力モードに入ることと、
前記高電力モードの間に、前記ＵＥと関係付くこととを含む方法。
［２５］  前記ＲＡＣＨメッセージは、前記スモールデバイスに対する識別子を含む［２４］記載の方法。
［２６］  前記識別子は、ＳＲＮＣ−ＩＤを含む［２５］記載の方法。
［２７］  前記通知は、前記ＵＥが前記ＲＡＣＨメッセージを送信した前記隣接セルデバイスから受信される［２４］記載の方法。
［２８］  前記通知は、前記ＵＥが前記ＲＡＣＨメッセージを送信した異なる隣接セルデバイスから受信される［２４］記載の方法。
［２９］  前記隣接セルデバイスのうちの少なくとも１つは、スモールセルデバイスを含む［２４］記載の方法。
［３０］  前記隣接セルデバイスのうちの少なくとも１つは、マクロセルデバイスを含む［２４］記載の方法。
［３１］  前記通知は、前記スモールセルデバイスへのバックホールを通して受信される［２４］記載の方法。
［３２］  前記高電力モードの間に、前記ビーコンパラメータが前記ＵＥと交換される［２４］記載の方法。
［３３］  ユーザ機器によって実行されるビーコン送信の方法において、
ビーコンパラメータをスモールセルデバイスと交換することと、
隣接セルデバイスの存在を検出することと、
前記隣接セルデバイスを検出することに応答して、前記ビーコンパラメータを含むランダムアクセスチャネル（ＲＡＣＨ）メッセージ中のビーコンを送信することと、
前記スモールセルデバイスと関係付くこととを含む方法。
［３４］  前記ＲＡＣＨメッセージが、前記検出された隣接セルデバイスに送信される［３３］記載の方法。
［３５］  前記ＲＡＣＨメッセージが、前記スモールセルデバイスに対する識別子を含む［３３］記載の方法。
［３６］  前記識別子が、担当無線ネットワーク制御識別子（ＳＲＮＣ−ＩＤ）を含む［３３］記載の方法。
［３７］  前記スモールセルデバイスが低電力モードの間に、前記存在が検出され、
前記スモールセルデバイスが高電力モードの間に、前記パラメータが前記ユーザ機器と交換され、
前記スモールセルデバイスが前記高電力モードの間に、前記ユーザ機器が前記スモールセルデバイスと関係付けられる［３３］記載の方法。
［３８］  前記関係付くことは、後続するＲＡＣＨ手順を実行して、セル再選択を完了することを含む［３３］記載の方法。
［３９］  前記スモールセルデバイスの存在は、隣接マップと、帯域外シグナリングと、位置推定とのうちの少なくとも１つを通して検出される［３３］記載の方法。
［４０］  ビーコン検出のための装置において、
ビーコンパラメータをユーザ機器（ＵＥ）と交換する手段と、
前記ビーコンパラメータを前記ＵＥと交換した後に、低電力モードに入る手段と、
前記低電力モードの間に、前記ビーコンパラメータを含むランダムアクセスチャネル（ＲＡＣＨ）プリアンブル中のビーコンを、前記ＵＥから受信する手段と、
前記ビーコンを受信することに応答して、高電力モードに入る手段と、
前記高電力モードの間に、前記ＵＥと関係付く手段とを具備する装置。
［４１］  ビーコン検出のための装置において、
ビーコンパラメータをユーザ機器（ＵＥ）と交換するようにと、
前記ビーコンパラメータを前記ＵＥと交換した後に、低電力モードに入るようにと、
前記低電力モードの間に、前記ビーコンパラメータを含むランダムアクセスチャネル（ＲＡＣＨ）プリアンブル中のビーコンを、前記ＵＥから受信するようにと、
前記ビーコンを受信することに応答して、高電力モードに入るようにと、
前記高電力モードの間に、前記ＵＥと関係付くように構成されているプロセッサを具備する装置。
［４２］  コンピュータ読取可能記憶媒体を具備する、ビーコン検出のためのコンピュータプログラム製品において、
前記コンピュータ読取可能記憶媒体は、
ビーコンパラメータをユーザ機器（ＵＥ）と交換するためのコードと、
前記ビーコンパラメータを前記ＵＥと交換した後に、低電力モードに入るためのコードと、
前記低電力モードの間に、前記ビーコンパラメータを含むランダムアクセスチャネル（ＲＡＣＨ）プリアンブル中のビーコンを、前記ＵＥから受信するためのコードと、
前記ビーコンを受信することに応答して、高電力モードに入るためのコードと、
前記高電力モードの間に、前記ＵＥと関係付くためのコードとを含むコンピュータプログラム製品。
【図１】
0006400597.tif 000002
【図２】
0006400597.tif 000003
【図３Ａ】
0006400597.tif 000004
【図３Ｂ】
0006400597.tif 000005
【図３Ｃ】
0006400597.tif 000006
【図４Ａ】
0006400597.tif 000007
【図４Ｂ】
0006400597.tif 000008
【図５Ａ】
0006400597.tif 000009
【図５Ｂ】
0006400597.tif 000010
【図６Ａ】
0006400597.tif 000011
【図６Ｂ】
0006400597.tif 000012
【図７】
0006400597.tif 000013